Podtech/llm-jp-corpus-v4-ja_patent huggingface dataset:
(57)【要約】【課題】  首部が横幅に開く動作を取らない、奥まった部位での作業やパイプ形状内での作業が容易に出来るハサミ工具。【解決手段】  先端器具側支点７とハンドル側支点８の２点を軸に、固定側先端器具１及び動作側先端器具６が、又一方には動作側ハンドル５及び固定側ハンドル９が取り付けられており、それらの間を握力伝達用カム３が先端器具側カム連結ピン２及びハンドル側カム連結ピン４によって連結されている。動作側ハンドル５及び固定側ハンドル９を握れば、その握力は握力伝達用カム３によって動作側先端器具６に伝わり、その先端器具の動作により切断、把握等を行う。【選択図】  図１
2005040559.tif 000002
【特許請求の範囲】
【請求項１】
握り用ハンドルの動作をカム機構やワイヤ、チェーン等の機構によって連結し、先端に接続されたペンチヘッドに握力を伝達する首長ハサミ工具。
【請求項２】
握り用ハンドルの動作をカム機構やワイヤ、チェーン等の機構によって連結し、先端に接続されたニッパの刃に握力を伝達する首長ハサミ工具。
【請求項３】
握り用ハンドルの動作をカム機構やワイヤ、チェーン等の機構によって連結し、先端に接続された鋏の刃に握力を伝達する首長ハサミ工具。
【請求項４】
握り用ハンドルの動作をカム機構やワイヤ、チェーン等の機構によって連結し、先端に接続されたプライヤヘッドに握力を伝達する首長ハサミ工具。
【発明の詳細な説明】
【発明の詳細な説明】
【発明が属する技術分野】
【０００１】  本発明は、狭所作業や局所作業用の首長ハサミ型工具に関するものである。
【背景技術】
【０００２】  従来、テコ支点より先部位の先端器具を小さく作ったニッパやペンチ、鋏等は有ったがテコ支点が１カ所である為、解放時に開いたハンドルが邪魔になり、奥まった部位での作業や、パイプ形状内での作業が困難で、又ハンドル部分が、不必要に周囲を傷つけることもあった。
【発明が解決しようとする課題】
【０００３】  テコ作動時に横幅方向に大きく広がらず、狭く奥まった場所でも周囲と干渉せずに使用できるハサミ工具が必要である。
【課題を解決するための手段】
【０００４】  本発明は、テコ支点を２カ所持ち、その間をカムやワイヤ、チェーンで連結する構造により、ハンドルが動作時に横幅方向周囲の不用物に干渉しない。
【発明を実施するための最良の形態】
【０００５】  ２カ所のテコ支点を軸に取り付けられたハンドルと先端器具をカムやワイヤ、チェーンによって連結することで、首部の長いハサミ工具を実現する。
【実施例】
【０００６】  図１は本発明器具の平面図で、この図を追って説明すれば、先端器具側支点７とハンドル側支点８の２点を軸に、固定側先端器具１及び動作側先端器具６が、又一方には動作側ハンドル５及び固定側ハンドル９が取り付けられており、それらの間を握力伝達用カム３が先端器具側カム連結ピン２及びハンドル側カム連結ピン４によって連結されている。動作側ハンドル５及び固定側ハンドル９を握れば、その握力は握力伝達用カム３によって動作側先端器具６に伝わり、その先端器具の動作により切断、把握等ができる。
【発明の効果】
本発明は、テコ支点を２カ所持つ構造により、首部が横幅に大きく開く動作を取らない為、非常に奥まった部位での作業やパイプ形状内に工具を差し込んで行う様な作業が容易に出来るようになった。
【図面の簡単な説明】
【図１】首長ハサミ工具の平面図である。
【符号の説明】
１    固定側先端器具
２    先端器具側カム連結ピン
３    握力伝達用カム
４    ハンドル側カム連結ピン
５    動作側ハンドル
６    動作側先端器具
７    先端器具側支点
８    ハンドル側支点
９    固定側ハンドル
【図１】
2005040559.tif 000003
(57)【要約】【課題】            軽量で優れた伸縮性を持つと共に、ホース内で回路の形成を容易にできる電気掃除機用ホースを提供する。【解決手段】        電気掃除機用ホース１は、軟質合成樹脂製のホース壁４の内面に硬質補強体としての被覆硬鋼線３が螺旋状に捲回接合され、撚り銅線を樹脂被覆した被覆導電線２が隣接する被覆硬鋼線３のピッチ間に螺旋状に捲回接合され、被覆硬鋼線３と被覆導電線２とで１つの回路を形成する。被覆硬鋼線３はホースの軸方向において収縮する方向にあらかじめ捩られて形成されている。【選択図】          図１
2005040528.tif 000002
【特許請求の範囲】
【請求項１】
ホースの軸方向において収縮する方向に捩られ、伸縮自在に形成された硬質補強体を軟質合成樹脂よりなるホース壁に螺旋状に捲回接合して保形したホースであって、隣接する前記硬質補強体のピッチ間に導電線を螺旋状に捲回設置したことを特徴とする電気掃除機用ホース。
【発明の詳細な説明】
【技術分野】
【０００１】
本発明は、電気掃除機用ホース、特に軽量で伸縮性に優れ、ホース内で電気回路形成可能な合成樹脂製の電気掃除機用ホースに関するものである。
【背景技術】
【０００２】
従来、電気掃除機用ホースとしては、ホース壁にコイル（補強線材として金属線を螺旋状に捲回したもの）を添着して構成することが一般に知られている。
そして、前記コイルを自然状態において収縮し、軸方向に引張ることにより伸張するようにし、伸縮自在に構成した電気掃除機用ホースも公知である。
例えば、特許第３１３４０９４号は、ホースの両端部分を伸縮自在に構成した電気掃除機用ホースに関するものである。
【特許文献１】特許第３１３４０９４号公報
【発明の開示】
【発明が解決しようとする課題】
【０００３】
しかし、前記特許公報では、電気回路を形成するため、硬鋼線からなる補強線材が多数の銅細線を撚り合わせた通電用の導電線とともに樹脂被覆されて一体となった被覆線がホース壁に接合されているが、これでは被覆線が太く嵩張ってしまい、ホースの伸縮性を損なうばかりでなく、重量が増加して取扱いが困難になる問題があった。
【課題を解決するための手段】
【０００４】
上記問題を解決するため本発明者らは、鋭意研究を重ねた結果、従来全く考えられていなかった螺旋状に捲回する硬質補強体のピッチ間に導電線を螺旋状に捲回して設置すれば、従来の樹脂製の被覆線を形成する必要がないため、被覆線を形成する樹脂の重量を削除でき、また、硬質補強体と導電線を別々に螺旋状に捲回することで、従来の被覆線で阻害されていた伸縮性を良好にできると共に、ホース内で回路の形成を容易にした電気掃除機用ホースを得られることを知見し、本発明を完成するに至ったものである。
【０００５】
すなわち、本発明は、ホースの軸方向において収縮する方向に捩られ、伸縮自在に形成された硬質補強体を軟質合成樹脂よりなるホース壁に螺旋状に捲回接合して保形したホースであって、隣接する前記硬質補強体のピッチ間に導電線を螺旋状に捲回設置したことを手段としたものである。
【発明の効果】
【０００６】
本発明によれば、従来の補強体と導電線を一体化した被覆線を無くすことで、軽量で優れた伸縮性を併せ持ち、更にはホース内で回路の形成を容易にすることができる。
【発明を実施するための最良の形態】
【０００７】
以下、本発明による電気掃除機用ホースの実施例を参照して説明する。
【実施例１】
【０００８】
図１、図２に示す電気掃除機用ホース１は、軟質合成樹脂製のホース壁４の内面に硬質補強体としての被覆硬鋼線３が螺旋状に捲回接合され、撚り銅線を樹脂被覆した被覆導電線２が隣接する被覆硬鋼線３のピッチ間に螺旋状に捲回接合され、被覆硬鋼線３と被覆導電線２とで１つの回路を形成する。なお、被覆硬鋼線３はホースの軸方向において収縮する方向にあらかじめ捩られて形成されている。
【実施例２】
【０００９】
図３は本発明の他の実施例を示す電気掃除機用ホースの拡大部分断面図であり、実施例１との差異は、軟質合成樹脂製のホース壁４の内面にピッチを広くして螺旋状に捲回接合した被覆硬鋼線３のピッチ間に３本の被覆導電線２を螺旋状に捲回接合して複数の回路を形成できるようにした点である。
【実施例３】
【００１０】
図４は本発明の他の実施例を示す電気掃除機用ホースの拡大部分断面図であり、ホース壁４を広幅の軟質合成樹脂製のテープ５を螺旋状に捲回して形成するものである。
すなわち、隣接するテープ５の隣接する側縁同士をオーバーラップさせながら螺旋状に捲回し、被覆導電線２及び被覆硬鋼線３をテープ５間に埋設した構造にしたものである。
【産業上の利用可能性】
【００１１】
本発明の電気掃除機用ホースは軽量で優れた伸縮性を持ち、かつ、ホース内で回路を形成することができることから、例えば、リモコンスイッチ用、パワーブラシ用などに用途を拡大できる。
【図面の簡単な説明】
【００１２】
【図１】本発明の一実施例を示す電気掃除機用ホースの一部縦断側面図。
【図２】図１の拡大部分断面図。
【図３】本発明の他の実施例を示す電気掃除機用ホースの拡大部分断面図。
【図４】本発明の他の実施例を示す電気掃除機用ホースの拡大部分断面図。
【符号の説明】
【００１３】
１  電気掃除機用ホース
２  被覆導電線
３  被覆硬鋼線
４  ホース壁
５  テープ
【図１】
2005040528.tif 000003
【図２】
2005040528.tif 000004
【図３】
2005040528.tif 000005
【図４】
2005040528.tif 000006
(57)【要約】【課題】スポーツ等に用いるゴーグルは天候、使用条件によりクリアーな視界を保つのが非常に困難であった。  特にくもりによる視界不良、泥、雪、水等が付着した場合片手で容易に払い落しクリアーな視界を確保することは困難であった。【解決手段】レンズ部分を網目にすることでくもりによる視界不良はなくなり、付着した泥等も乾きやすく片手で簡単に払い落とすことができる。それによりクリーンな視界を保つことを可能にした。スライド式透明フィルム等の組み合わせでも従来レンズとフィルムの間に水が入ることによって生じる滲みによる視界不良もなく全ての条件下で使用できることを可能にした。フィルム無し、スライド式透明フィルム、全面フィルムのいずれかを選択することより天候、使用条件に細かく合わせて使うことができる。【選択図】図１
2005040566.tif 000002
【特許請求の範囲】
【請求項１】
ゴーグルのレンズ部分を網目にすることを特徴とするゴーグル。
【請求項２】
前記ゴーグルとスライド式透明フィルムを組み合わせる事により砂埃、水滴等からも目や眼鏡等を守りクリーンな視界を確保することを特徴とする請求項１記載のゴーグル。
【請求項３】
全面透明フィルムを組み合わせる事により砂埃の防護度をより一層あげた請求項１記載のゴーグル。
【発明の詳細な説明】
【技術分野】
【０００１】  この発明は、ゴーグルのレンズ部分の形状に関する。
【背景技術】
【０００２】  従来のゴーグルのくもり対策は図４に示すように、透明板状のものに空気層や通気孔を設けたものである。
【発明の開示】
【発明が解決しようとする課題】
【０００３】  しかしながら、以上の技術によれば、レンズがくもりやすく、付着した泥等を片手で容易に払い落しクリーンな視界を確保することが困難であった。さらにはスライド式透明フィルムを組み合わせて使用した場合水滴がレンズとフィルム間に入り込み流れ落ちるまで視界が滲んだ。
そこで、この発明は、くもりや泥等の汚れ、さらにはスライド式透明フィルムを組み合わせる事により砂埃、水滴、風からも目や眼鏡を守り尚且つクリアーな視界を確保するゴーグルを提供することを課題とする。
【課題を解決するための手段】
【０００４】  以上の課題を解決するために、第一発明は、レンズ部分を網目状にしたことを特徴とするゴーグルである。
また、第二発明は、スライド式透明フィルムと組み合わせて使用することを特徴とするゴーグルである。第三発明は、全面透明フィルムと組み合わせて使用することを特徴とするゴーグルである。
【発明の効果】
【０００５】  第一発明によればレンズ部分が網目のため曇りによる視界不良ない。また泥等が付着したさい乾きやすく片手で容易に払い落とすことができる。網からゴーグル内に落ちる泥はゴーグル下側の開口部から外部へ落下する仕組みになっている。網目以上の飛来物等から目や眼鏡を安全に守ることができる。
また第二発明はスライド式透明フィルムを組み合わせたもので水滴、風等からも目や眼鏡を守る。また、従来レンズとスライド式透明フィルムの間に水滴が入っておこる滲みによる視界不良がなく、フィルムもくもりにくい。第三発明は全面透明フィルムを組み合わせたもので砂埃等からの防護度をより一層あげている。
【発明を実施するための最良の形態】
【０００６】  この第一発明の一実施形態を、図１に示す。
網目状レンズの本体１は黒色であり網目寸法、網本体寸法、網素材は考慮される飛来物、視界確保度によるが、図１では内寸２．５ミリ、網本体０．５ミリの鉄製とした。
第二発明の一実施形態を、図２に示す。
第一発明にスライド式透明フィルムを組み合わせたもので、水滴、風等からも目や眼鏡を守る。フィルム幅は人の目幅の２．５センチ程度とした。
「実施形態の効果」【０００７】  この実施形態によれば、飛来物等によりレンズに傷がついての視界不良。レンズ割れ等の使用不能事態は発生しない。
保管や使い勝手に関してもレンズに傷が付く恐れがないので神経質にならなくても半永久的に使うことができる。
「他の実施形態」【０００８】  図２の実施形態では、スライド式透明フィルムを使用したが、レンズにくもりが発生しにくい条件下では全面フィルム（図３）を重ねて使用し砂塵等の防護度を上げてもよい。また網目を４５度傾けることによりさらに水切り効果を上げることも可能である。
【図面の簡単な説明】
【０００９】
【図１】この第一発明の一実施形態を示す正面図である。
【図２】この第二発明の一実施形態を示す正面図である。
【図３】この第三発明の一実施形態を示す正面図である。
【図４】従来技術を示す正面図である。
【符号の説明】
【００１０】１  網レンズ本体          ２  スライド式透明フィルム
３  全面フィルム          ４  通気孔
【図１】
2005040566.tif 000003
【図２】
2005040566.tif 000004
【図３】
2005040566.tif 000005
【図４】
2005040566.tif 000006
(57)【要約】      （修正有）【課題】車椅子を路面での走行中、段差や溝（凹）等で、後輪が脱輪お越し転倒防止する車椅子を提供する。【解決手段】車椅子の左右一対のベースフレーム２に左右一対の転倒防止フレーム１を装着した。転倒防止フレームは所定の地上高を有し、好ましくは１ｃｍ〜３０ｃｍを有する。さらにこれらの転倒防止フレームはベースフレームに溶接または金具で固定する。さらに転倒防止フレームは収納可能にできる。また転倒防止フレームは左右後輪の内側に近接して左右一対設ける。【選択図】  図１
2005040567.tif 000002
【特許請求の範囲】
【請求項１】
車椅子のベースフレーム２に転倒防止フレーム１を装着した車椅子。
【請求項２】
前記転倒防止フレーム１は左右後輪７の内側に近接して、左右一対設けられ、所定の地上高を有する請求項１の車椅子。
【発明の詳細な説明】
【技術の分野】
【０００１】  本発明は、車椅子のフレームの改良に関するものである。
【背景技術】
【０００２】  従来の車椅子は、座席を取り付けているＸブレースの下部分から路面までが非常に高く製造されている。【０００３】  座席が左右一対の後輪の間に取り付けて有るため、重心、重量、が後輪に係っているものである
【発明の開示】
【発明が解決しようとする課題】
【０００４】  こうした車椅子を走行させている時、車道の路面と歩道の路面との段差や一般道路の側部に排水用の側溝、あるいは踏み切り内の路面と線路の基盤との境界の段差等に、車椅子の、例えば、一側方の後輪が脱輪を起こし、重心、重量、が脱輪側の後輪に係りバランスをくずし転倒する欠点がある
【課題を解決するための手段】
【０００５】  本発明に係る、車椅子は、上記課題を解決するべく、車椅子の後輪が脱輪ご転倒防止のために車椅子のベースフレームに転倒防止フレームを装着した車椅子である。
【発明の効果】
【０００６】  本発明に係る、車椅子によれば、次の効果を奏する。車椅子の後輪が脱輪ご転倒防止フレームに段差上部が当たり、重心、重量、とバランスを支えて転倒を防止する事ができるものである。
【発明を実施するための最良の形態】
【０００７】  本発明においては、図１に示すように、車椅子の左右一対のベースフレーム２（Ｘブレースを取り付けているベースフレームも含む）に左右一対の転倒防止フレーム１を装着した車椅子である。転倒防止フレーム１は、図１に示すように，所定の地上高のＨを有し好ましくは、１ｃｍ〜３０ｃｍを有するように取り付けられている。
【実施例１】
【０００８】  図２に示すように、車椅子の左右一対のベースフレーム２（Ｘブレースを取り付けているベースフレームも含む）に溶接８で左右一対の転倒防止フレーム１を装着するものである。この転倒防止フレーム１は、図２に示すように，所定の地上高のＨを有し好ましくは、１ｃｍ〜３０ｃｍを有するように取り付けらている。
【実施例２】
【０００９】  図３に示すように、車椅子の左右一対のベースフレーム２（Ｘブレースを取り付けているベースフレームも含む）に金具１０で転倒防止フレーム１を装着するものである。この転倒防止フレーム１は，図３に示すように、所定の地上高のＨを有し好ましくは、１ｃｍ〜３０ｃｍを有するように取り付けられている。
【実施例３】
【００１０】  図４に示すように、上記、実施例、１、２、の装着した左右一対の転倒防止フレーム１を強化するために左右を接合するものである。この転倒防止フレーム１は、図４に示すように、所定の地上高のＨを有し好ましくは、１ｃｍ〜３０ｃｍを有するように取り付けられている。
【実施例４】
【００１１】  図５に示すように、上記、実施例、３、の接合した転倒防止フレーム１を収納可能のため接合部に蝶番を取り付けられている。この転倒防止フレーム１は，図５に示すように，所定の地上高のＨを有し好ましくは、１ｃｍ〜３０ｃｍを有するように取り付けられている。
【実施例５】
【００１２】  図６に示すように、左右一対のベースフレーム２の後部に回動フレーム５を装着し、上記，実施例、１、２、３、４、の転倒防止フレーム１を回動フレーム５に装着するものである。この転倒防止フレーム１は、図６に示すように、所定の地上高のＨを有し好ましくは、１ｃｍ〜３０ｃｍを有するように取り付けられている。
【図面の簡単な説明】
【００１３】
【図１】本発明に係る、フレームを取り付けた状態を示す斜視図。
【図２】本発明に係る、フレームを溶接で取り付けた状態を示す斜視図。
【図３】本発明に係る、フレームを金具で取り付けた状態を示す斜視図。
【図４】本発明に係る、接合したフレームを取り付けた状態を示す斜視図。
【図５】本発明に係る，接合したフレームに蝶番を取り付けた状態を示す斜視図。
【図６】ベースフレームに回動フレームを取り付けた状態を示す斜視図。
【図７】車椅子の本体のフレームを表した状態を示す斜視図。
【図８】車椅子の脱輪を表した正面図。
【図９】車椅子の転倒を表した正面図。
【図１０】車椅子に転倒防止フレームを取り付け転倒防止した状態を表した正面図。
【符号の説明】
【００１４】Ａ    車椅子
Ｂ    本体のフレーム
Ｃ    段差
Ｄ    車道
Ｅ    歩道
１    転倒防止フレーム
２    ベースフレーム
３    Ｘブレース
４    座席
５    回動フレーム
６    前輪
７    後輪
８    地上高
９    溶接
１０    金具
１１    蝶番
１２    接合
【図１】
2005040567.tif 000003
【図２】
2005040567.tif 000004
【図３】
2005040567.tif 000005
【図４】
2005040567.tif 000006
【図５】
2005040567.tif 000007
【図６】
2005040567.tif 000008
【図７】
2005040567.tif 000009
【図８】
2005040567.tif 000010
【図９】
2005040567.tif 000011
【図１０】
2005040567.tif 000012
(57)【要約】【課題】  簡単に傘にカバーができ、使用後の傘をカバーするだけではなく、使用中でもカバーを有効利用する、傘のカバーを提供する。【解決手段】  本体傘カバー（１）は、巻物状の形に、上部を輪（４）にして、ゴムや紐などを入れ、中央部と下部に留具（２）や（３）を取り付け、傘の手元（５）には本体傘カバー（１）のズレ防止（６）を設けたことを特徴とする。【選択図】  図１
2005040565.tif 000002
【特許請求の範囲】
【請求項１】
本体の傘カバー（１）は巻物状で、上部を輪（４）にして、ゴムや紐などを入れ、側部と下部は開口でき、中央部と下部に留具（２）や留具（３）をそれぞれの位置に取り付け、傘の手元（５）に本体（１）のズレ防止（６）を設けた傘カバー。
【発明の詳細な説明】
【発明の詳細な説明】
【技術分野】
【０００１】  この発明は、従来の傘カバーを利便性及び機能性を良くするために改良した傘カバーで、本体の傘カバーは巻物状にして、上部を輪にして、ゴムや紐などを入れ、側部と下部は開口でき、中央部と下部に留具や留具をそれぞれの位置に取り付け、傘の手元に本体のズレ防止を設けた傘カバーに関するものである。
【背景技術】
【０００２】  従来の傘カバーは、筒状、袋状のものが一般的で、傘を収納するために使う傘カバーだった。
【発明が解決しようとする課題】
【０００３】  これには、次の欠点があった。
（イ）傘カバーから、傘を取出すとき、傘の出し入れが面倒で、煩わしかった。
（ロ）傘カバーを外したままになる事が多く、収納するときだけの傘カバーだった。
（ハ）濡れた傘が衣類や荷物などに触れると、不快感や周りに迷惑を掛けることがあった。
（ニ）折り畳み傘は、親骨が折れる事が多く、立て掛けることや束ねる事が困難だった。
本発明は、これらの欠点を除くためになされたものである。
【課題を解決するための手段】
【０００４】  本体の傘カバー（１）は、巻物状の形にして、上部を輪（４）にして、ゴムや紐などを入れる。
側部と下部は開口してあり、中央部と下部に、それぞれの位置に留具（２）や留具（３）を取り付ける。
傘の手元（５）に本体（１）のズレ防止のため、本体（１）の輪（４）が入る溝や凸凹のズレ防止（６）を設ける。
本発明は、以上の構成からなる傘カバーである。
【発明を実施するための最良の形態】
【０００５】  以下、本発明の実施の形態を説明する。
（イ）巻物状の傘カバー（１）は、上部をゴムや紐などを入れられる、輪（４）を設ける。
（ロ）留具（２）や留具（３）を中央部と下部の端及び、中央部と下部の端より数ｃｍ離れた箇所に、それぞれ取り付ける。
（ハ）傘の手元（５）には、傘カバー（１）のズレを防ぐために、輪（４）が収まる、溝や凸凹のズレ防止（６）を設ける。
本発明は以上のような構造で、これを使用するときは、傘の手元（５）に本体カバー（１）入れ、輪（４）をズレ防止（６）に収めて、留具（２）や留具（３）を留める。
実施例として、図２の示すように、傘を収納してカバーをするときは、留具（２ａ）と留具（２ｂ）、留具（２ｃ）と留具（２ｄ）をそれぞれ留める。
また、他の実施例として、図３の示すように、傘の使用中に束ねるときは、留具（３ａ）と留具（３ｂ）、留具（３ｃ）と留具（３ｄ）をそれぞれ留める。
他に、図４の示すように、傘カバーを付けたまま傘を差す場合、図５の示すように手元に付けた傘カバーを裏返しにして、留具（３ｄ）を留具（３ａ）又は留具（３ｃ）に留めると、手をカバーすることができ、雨や風などから防御することができる。
留具（２）と留具（３）は同一の金具や、マジックテープ（登録商標）、フォックなどにしても同じ効果が得られる。
【発明の効果】
【０００６】  このように、傘を簡単にカバーから出し入れができ、収納するカバーから、多機能で便利な傘カバーとなる。
効果をまとめると、次のようになる。
（イ）傘カバーから、傘を取出すとき、傘の出し入れが簡単である。
（ロ）傘をいつも収納することができる。
（ハ）濡れた傘が衣類や荷物などに触れることがなくなるので、不快感や周りに迷惑を掛けることがない。
（ニ）折り畳み傘でも簡単に収納できる。
【図面の簡単な説明】
【図１】本発明の傘とカバーを分割した状態を示した分解斜視図である。
【図２】本発明の使用状態を示した斜視図である。
【図３】本発明の使用状態を示した斜視図である。
【図４】本発明の使用状態を示した斜視図である。
【図５】本発明の使用状態を示した要部の説明図である。
【符号の説明】
１  本体カバー
２  留具
３  留具
４  輪
５  傘の手元
６  ズレ防止
【図１】
2005040565.tif 000003
【図２】
2005040565.tif 000004
【図３】
2005040565.tif 000005
【図４】
2005040565.tif 000006
【図５】
2005040565.tif 000007
(57)【要約】魔法瓶内の湯を再び温めたい場合に、湯をやかんや電気ポット等に入れ替えることなく温める。【課題】魔法瓶に一度入れた湯が冷めてきたら、湯をいったんやかんや電気ポット等に移し変えて再び温める必要がある。この手間を省くと、用意に湯を温めなおすことができる。【解決手段】魔法瓶の栓で、温度センサーとヒーターが設置されているものをつくる。魔法瓶内の湯を温めなおしたいときは、栓をヒーター付栓に取り替えると、温度センサーが温度を感知し、ヒーターで希望の温度まで温める。【選択図】図１
2005040562.tif 000002
【特許請求の範囲】
【請求項１】
普段使う栓の他に、温度センサーとヒーターを設置した栓を備えることを特徴とする魔法瓶。
【請求項２】
栓の上部に温度設定ねじを備えることを特徴とする請求項１記載の魔法瓶。
【発明の詳細な説明】
【発明の詳細な説明】
【技術分野】
【０００１】  本発明は、魔法瓶に関するものである。
【背景技術】
【０００２】  従来の魔法瓶は、湯を保温する機能をもつが、時間が経ち、湯の温度が下がってくると、魔法瓶内の湯を入れ替えて温めなおさなければならなかった。
【発明が解決しようとする課題】
【０００３】  栓を開けて湯を入れ替えすることなく、魔法瓶内の湯を再び温めることができる魔法瓶を提供する。また、希望の温度まで温めることができる機能を持つ。
【課題を解決するための手段】
【０００４】  請求項１記載の魔法瓶は、一般的な栓の他に、温度センサーとヒーターを備える栓を付属することを特徴とする。請求項１記載の魔法瓶によれば、栓の魔法瓶に入る部分に備えられた温度センサーで現在の温度を感知し、ヒーターで希望の温度まで温めることができる。
【０００５】  請求項２記載の魔法瓶は、請求項１記載の栓の上部に、温度調節ねじを備えることを特徴とする。
【発明を実施するための最良の形態】
【０００６】  本発明は、栓に温度センサー、ヒーター、温度設定ねじを設置した魔法瓶である。【０００７】  上記温度センサーとヒーターを設置する位置は、栓の下部とし、魔法瓶内に温度センサーとヒーターが入るような形とする。温度設定ねじを設置する位置は、栓の上部とし、手で調節できる位置とする。
【実施例】
【０００８】  本発明の実施例について、図面を参照して説明する。【０００９】  図１において、魔法瓶本体は外容器４と内容器５からなる。魔法瓶内の湯の温度が下がってしまい、もう一度温めたい場合には、ヒーターつき栓１０をはめる。【００１０】  図２において、上部の温度調節ねじ１で、湯を何度にしたいかを設定する。ヒーターつき栓１０の、湯にあたる部分には温度センサー２とヒーター３が設けられており、温度センサー２によって湯の温度を測り、ヒーター３によって温めることができる。魔法瓶本体内の温度が上昇し圧力が一定以上になると、空気弁１３から空気が外へ抜ける。湯が希望の温度になると、ランプ７が消え、給電が止まる仕組みとする。【００１１】  図３において、湯の温度が希望の温度まで温まったら、ヒーターつき栓１０をはずし、栓１１をはめる。普段は栓１１をはめていて、湯を温めたい際にのみ、栓をヒーターつき栓１０に換えて使用する。
【発明の効果】
【００１２】  本発明は、以上説明したような形態で実施され、以下に記載されるような効果を奏する。
【００１３】  請求項１記載の魔法瓶によると、温度センサーとヒーターを設けた栓を備えることで、魔法瓶内の湯が冷めてしまった際に、容易に暖めなおすことができる。
【００１４】  請求項２記載の魔法瓶によると、温度設定ねじを設けることで、湯を希望の温度まで暖めることができる。
【図面の簡単な説明】
【００１５】
【図１】  本発明の魔法瓶実施例を示す断面図である。
【図２】  本発明の魔法瓶実施例を示す断面図である。
【図３】  本発明の魔法瓶実施例を示す断面図である。
【符号の説明】
１      温度設定ねじ
２      温度センサー
３      ヒーター
４      外容器
５      内容器
６      注ぎ口
７      ランプ
８      つまみ
９      コード
１０      ヒーターつき栓
１１      栓
１２      湯
１３      空気弁
【図１】
2005040562.tif 000003
【図２】
2005040562.tif 000004
【図３】
2005040562.tif 000005
(57)【要約】【課題】従来の安全靴の鋼鉄など堅い部位が足の形に合わない（靴が足になじまない）ことによって起こる足の負担や、これに起因する外反母趾や靴擦れなどの傷害を防止する安全靴を提供する。またエアクションなどは製造に手間掛かり、かつ高コストになる。安全靴の横幅が、個人によって違うため、先芯を大きくできず、より安全性を高めることができない。【解決手段】安全靴の先芯１の内側に簡易なクッション２をつける。また内側全体にクッショ３を付ける。別に、つま先部位を四角に近い形４にし簡易なクッション２をつけることによって横幅い足や靴の形にあわない足に短期的または長期的に適応しやすくする。また、エアバック等（特許出願平３−２９１９２２等）を持ちいらず簡易なクション（緩衝材）を用いることによって低コストに製造できる。大きな先芯５をつける。【選択図】図２
2005040571.tif 000002
【特許請求の範囲】
【請求項１】
安全靴（長靴も含む、以下：安全靴）の先芯１の内側全体に、ゴム・ビニール・スポンジ等または分厚い裏材、布等の繊維、ゲル、分厚い裏材等の簡易な緩衝材２（以下クッション）がついていることによって、ゴム・ビニール・スポンジ・ゲル等２のクッションが、足の形に変形し、足の負担を和らげる。またこのことによって外反母趾等の傷害を防止する。
【請求項２】
安全靴の内側全体にゴム・ビニール・スポンジ・ゲル・分厚い裏材等のクッション３を付ける。
【請求項３】
つま先の形を四角および四角に近い形４（幅広く）にし、内にクッションをつけることによって、横幅が広い足に適応しやすくする。
【請求項４】
簡易な緩衝材を用いることによって製造における手間の省略化および低コスト化。
【請求項５】
クッションを付けることで大きな先芯５を取り付けられること。
【発明の詳細な説明】
【技術分野】
【０００１】  工場、工事現場等の現場で足に物が挟まる危険がある作業者が利用できる安全靴である。
【背景技術】
【０００２】  従来の安全靴は、長期間はいていても、先芯部位に鋼鉄など堅い素材を使用しているため、靴底に近い部位の形状が足の形に変形しない（靴が足になじまない）。
またエアバック（特許出願平３−２９１９２２等）などは、構造が複雑なため製造に手間が掛かりかつコストも掛かる。
個人によって足の横幅が違うことから先芯部が小さい。
【特許文献１】特許出願平３−２９１９２２
【発明の開示】
【発明が解決しようとする課題】
【０００３】  安全靴は、足の先芯部（つま先・甲の部位）などが鋼鉄など堅い素材を使用していることから、長期間はいていても、靴底に近い部位の形状が変わらない（靴が足になじまない）ことが原因で、足に負担がかかることや、このことによって外反母子、靴擦れ等の傷害が生じる難点があった。
またエアクションなどは製造に手間掛かり、かつ高コストになる。
安全靴の横幅が個人によって違うため先芯を大きくできず、安全性を高めることができない。
本発明は、これらの課題を解消するためになされたものである。
【課題を解決するための手段】
【０００４】  安全靴の先芯１の内側に簡易なクッション２をつける。また内側全体にクッショ３を付ける。別に、つま先部位を四角に近い形にし簡易なクッション２をつけることによって横幅い足や靴の形にあわない足に短期的または長期的に適応しやすくする。
安全靴のつま先を四角にする。
また、エアバック等（特許出願平３−２９１９２２等）を持ちいらず簡易なクション（緩衝材）を用いることによって低コストに製造できる。
先芯を大きくする。
【発明の効果】
【０００５】  足の負担を軽減することと、外反母趾・靴擦れ等を防止し、履き心地をよくする。
エアバック等（特許出願平３−２９１９２２等）よりも、製造の手間の省略化および低コスト化ができる。
横幅が広い人の足に適応。
大きな先芯を付けられることにより安全性が増す。
【発明を実施するための最良の形態】
【０００６】  この安全靴を使用することによってクッション２が短期的または長期的に変形して足に適応する。また簡易なクッション２を材料として用いることによって製造の手間の省略化および低コスト化の実現。
安全靴のつま先を四角に近い形４にすることによって横幅が広い人の足に適応しやすくする。
また、クッション２をつけることによって足の横幅をの個人差をなくすことができるため、大きな先芯５を付けられる。
【実施例１】
【０００７】  図２は先芯１内側に簡易なクッション２を付けたものである。
【実施例２】
【０００８】  図４は安全靴全体にクッション３（裏材も含む）を付けたものである。
【実施例３】
【０００９】  図５は安全靴のつま先を四角に近い形４にしたものである。
【実施例４】
【００１０】  図６は先芯５を大きくしたものである。
【図面の簡単な説明】
【００１１】
【図１】  安全靴の全体図
【図２】  透視図およびつま先部位につけた簡易なクッションを付けた安全靴の靴底の断面図
【図３】  先芯部位の縦の断面図
【図４】  内側全体に簡易なクッションを付けた安全靴の靴底の断面図
【図５】  つま先部位を四角に近い形にした安全靴と靴底の断面図
【図６】  先芯部を大きくした図
【符号の説明】
【００１２】  １  安全靴の先芯
２  つま先部位に付けた簡易なクッション
３  内側全体に付けた簡易なクッション
４  四角に近い形のつま先
５  大きくした先芯
【図１】
2005040571.tif 000003
【図２】
2005040571.tif 000004
【図３】
2005040571.tif 000005
【図４】
2005040571.tif 000006
【図５】
2005040571.tif 000007
【図６】
2005040571.tif 000008
(57)【要約】【目的】  装脱着作業の容易にして剛性に優れた遊戯台の装着蝶番を提供すること。【構成】  保持金具３の先端と保持穴４の間に凹形案内溝５を設け、支持金具６に固着された支持軸７の下方に傾斜先端部８を設けて１対の遊戯台の装着蝶番を構成する。【選択図】  図１
2005040547.tif 000002
【特許請求の範囲】
【請求項１】
保持穴（４）と金具先端との間に凹形案内溝（５）を設けた保持金具（３）と、傾斜先端部（８）を備えた支持軸（７）を固着した支持金具（６）とで構成される遊戯台の装着蝶番。
【発明の詳細な説明】
【発明の詳細な説明】
【技術分野】
【０００１】  本発明は遊戯台の前面枠部を保持する装着蝶番の構造に関わる技術に関するものである。
【背景技術】
【０００２】  従来の遊戯設備に於いて、遊戯台の前面枠部を装着するため蝶番に一般には直円筒形の支持軸を有する支持金具とその支持軸が嵌入する保持穴を設けた保持金具を上下に各一対設けてなる上下抜き差し式蝶番が使用されている。（この構造による問題点を解決しようとする先進技術には例えば、特開２０００−２２９１６２、  特許番号２６３１８７２、  実用新案登録番号３０６６３０１、等がある。
【発明が解決しようとする課題】
【０００３】  従来一般に採用されている上下２対の直円筒形支持軸と保持用丸穴で構成される抜き差し式蝶番は着脱可能な蝶番としては構造が簡単で充分な剛性が発揮出来る点で優れた蝶番構造であるが、この構成の蝶番で装着作業を行なう際には、上下２対の軸穴と軸芯を同時に同一軸芯上に合わせたまま抜き差しする必要がある、昨今の多種の装置が取り付けられて重くなった前面枠部を上下蝶番の軸芯を合わせながら装着するのは容易ではなくなっている。その問題を解決するために考案されたものに前記先進技術例に挙げた例では保持金具の先端と保持穴との間に割り溝を設け相手の支持軸の先端部には両面取りを施して、その割り溝を案内にすることによって装着作業を容易ならしめるように工夫されたものがあるが、その構成で確かに装着作業は容易になるが保持穴の一部に割り溝を設けるのは蝶番の剛性面からはあまり好ましい事ではない。本考案はその装着作業を容易ならしめるだけでなく剛性的にも優れた遊戯台の装着蝶番を提供することを目的とする。
【課題を解決するための手段】
【０００４】  本発明ではその上下２対の抜き差し式蝶番の上方の保持金具側には割り溝でなく凹形案内溝を、支持金具側の支持軸には勾配面を設けることにより装着作業を容易ならしめるようにした。
【発明実施の形態】
【０００５】  本発明の実施の形態を実施例を示す図面を参照にして説明する。  図１に於いて、遊戯台の外枠１の上方に取り付けた保持金具３の保持穴４と金具先端との間に凹形案内溝５を設け、前面枠部２の上方に取り付けた支持金具６に固着された支持軸７の下方先端を装着時保持金具３に当たる向きに勾配をもった傾斜先端部８を設けて１対の上下抜き差し蝶番を構成する、その際保持金具の凹形案内溝の底部先端には角面取り９を施しておく。  尚その際支持軸７下方の勾配面と凹形案内溝５の先端部との高さ位置関係は前面枠の下方蝶番部が外枠１の下方蝶番部に装着された状態で同勾配面が同案内溝の先端に乗り上げる程度にしておく、又図３に示す軸の金具よりの突出寸法１１は保持金具３の下面と支持金具６の上面とのすき間１０より大きくしておく。  図４、５、６は本発明に付随するたの他の実施例を示すもので、図４では凹形案内溝５の先端部に案内凹部１２を設けたものであり。図５と図６はそれぞれ支持軸７の下方先端の傾斜先端部８の形状を（図２のＡ矢視部で）Ｒ形状１３やＶ形状１４にした例を示したものである。  尚図２は図１の構成による蝶番の装着された状態の側断面図を示したもので、図３は装着後前面枠部を閉じた状態での蝶番部正面図である。
【発明実施の効果】
【０００６】  以上のように構成した本発明による蝶番を使用して装着作業を行なう際には図１のように前面枠部２が略直角に開いた状態で下方の蝶番部を装着したのち上方蝶番部の前面枠部側に取り付けた支持軸７を保持金具３の凹形案内溝５の正面に位置合わせした後前面枠側を持ち上げ気味に外枠側に押しつけると支持軸下部は凹形案内溝に案内されて図２の矢印１５のような経路を経て保持穴２に嵌入する。  その際保持金具３の先端部に図４のように案内凹部１２があると芯合わせ作業がより容易になり、図５の様に先端がＲ形であると当たり部の損傷が少なくてすみ、図６のようにＶ形状であれば案内性がより良くなり作業性が向上する効果が期待出来る。  以上のように本発明の実施例によれば上下抜き差し蝶番の装着の際の芯合わせが従って装着作業が容易になるだけでなく、装着後は支持軸の真円部と切り欠きの無い保持穴とがが嵌合状態になるので剛性も充分な遊戯台の装着蝶番を提供することが出来る。  尚図３の様に装着状態での支持軸の突出寸法１１がすき間１０より大きくしてあれば前面枠を閉じた状態では蝶番の装着状態が即ち前面枠が外れる事はない。
【図面の簡単な説明】
【図１】本発明の実施例の見取り図である。
【図２】本発明の実施例の装着時の側断面図である。
【図３】本発明品の実施例の前面枠閉止時の正面図である。
【図４】本発明品の他の実施例の部分平面図である。
【図５】本発明の他の実施例の部分断面図である。
【図６】本発明の他の実施例の部分断面図である。
【符号の説明】
１、    外枠２、    前面枠部３、    保持金具４、    保持穴５、    凹形案内溝６、    支持金具７、    支持軸８、    傾斜先端部９、    角面取り１０、  すき間１１、  突出寸法１２、  案内凹部１３、  Ｒ形状１４、  Ｖ形状１５、  矢印
【図１】
2005040547.tif 000003
【図２】
2005040547.tif 000004
【図３】
2005040547.tif 000005
【図４】
2005040547.tif 000006
【図５】
2005040547.tif 000007
【図６】
2005040547.tif 000008
(57)【要約】【課題】建築物の消火設備制御弁において小型で火災時に確実に働き且２次側配管に水激作用のない予作動弁又は一斉開放弁を得る。【解決手段】仕切弁又はバタフライ等を電動機及びバネの蓄圧力により制御開放する。【選択図】図１
2005040543.tif 000002
【特許請求の範囲】
【請求項１】
建築物の自動式消火設備において火災発生時に消火用水を制御する予作動弁又は一斉開放弁で火災発生時に電動機又はバネを利用して少なくとも２秒以上の時間で開放する。
【請求項２】
請求項１に掛かる弁で当初電動機でゆっくりと開放し２時側配管内圧力がある閾値に成った時又は１次圧力２次圧力差がある閾値に成った時点又は最初の開信号からある閾値時間経過時点でバネの蓄圧力により急速開放する。
【請求項３】
請求項１に掛かる弁で１次火災信号で電動機によりゆっくり開放し２次火災信号が入った時点でバネの蓄圧力により急速開放する。
【発明の詳細な説明】
【発明に詳細な説明】
【産業上の利用分野】
【０００１】本発明は建築物の消火設備において火災が発生した時に緊急開放する予作動弁及び一斉開放弁に関するものである。
【背景技術】
【０００２】建築物の自動式消火設備において火災発生時に消火用水を制御する予作動弁及び一斉開放弁は１次側に加圧用水が充填され２次側は開放又は低圧に保持されており該弁は１次圧力と２次圧力の水圧差を利用して閉鎖しており火災信号にて水圧差を利用して開放する構造になっています。
【発明が解決しようとする課題】
【０００３】１次圧力室及び２次圧力室間は小口径の導圧管にて連通されているこのためこの小口径の導圧管に異物が詰まり火災時に正常に作動しない恐れがあった。
又高圧に耐えうる１次圧力室及び２次圧力室を構成する為、本体が大きく又重くなるという欠点があった。
又水圧のバランスで制御する為、開放速度の制御が困難であり急激に開放して２次側配管が、水激作用で破壊される恐れもあった。
【課題を解決する為の手段】
【０００４】本発明は１次側２側を仕切り弁等にて閉鎖した弁に電動機とバネを契合しておきこのバネは通常時蓄圧状態にしておきます。
【０００５】火災信号が入信した時点で電動機又はバネの蓄圧力を利用して開放するものであります。
すなわち請求項１においては火災信号が入信した時点で少なくとも２秒以上の時間を掛けて開放します、電源供給が正常であれば電動機で開放し、電源供給が切れた時点でバネの蓄圧力を利用して開放するシステムであります。
【０００６】又請求項２においては最初電動機にて緩速にて開放し２次側圧力がある一定の閾値を超えるか又は１次圧力と２次圧力差がある閾値以内なった時点でバネの蓄圧力により急速に開放するものであります。
【０００７】請求項３においては火災信号の１次信号で電動機による緩速開放とし火災信号の２次信号が入信した時点でバネの蓄圧力による急速開放とします。
【図面の簡単な説明】
【図１】予作動弁系統図を示す。
【符号の説明】
１は火災受信機  ２は予作動制御盤  ３は２次側圧力スイッチ
４は開放用バネ  ５は弁軸  ６は電動機  ７は１次側圧力スイッチ
８は２次側配管  ９は弁本体  １０は１次側配管
ＦＳは火災信号  ＰＳ１は１次圧力信号  ＰＳ２は２次側圧力信号
【図１】
2005040543.tif 000003
(57)【要約】【課題】  墓地不足を如何に解消するかとゆうことが課題である。【解決手段】  日本人に深く根付いている仏像信仰と平成３年に法律的に認められた散骨を組み合わせて日本人の宗教感情にあった墓地埋葬に匹敵する仏像胎内散骨の方法で解決できる。【選択図】  図１
2005040548.tif 000002
【特許請求の範囲】
【請求項１】
火葬済み骨灰を仏像の胎内に散骨して最終処理とする方法。
【請求項２】
粉末状に砕いた火葬済み骨灰を挿入する為の挿入口を備えた請求項１を実現する為の仏像。
【発明の詳細な説明】
【発明の詳細な説明】
【技術分野】
【０００１】  仏像胎内に火葬済み骨灰を散骨して最終処理とする為の技術。
【背景技術】
【０００２】  従来の火葬済み骨灰の最終処理は土の中へ埋葬するか、最近では、海、山へ散骨する方法であった。
【発明が解決しようとする課題】
【０００３】  最近の墓地事情は非常に厳しく公営墓地の場合、入手するには、年一回の抽選で数十分の一の確率に当たらなければならず、何時入手できるか全くわからない。当たったとしても最初に支払う金額は可成り高額である。
一方火葬済み骨灰は平成３年法務省より、節度を持って葬送が行われる限り散骨差し支えなしと見解が発表され、散骨は自由となっている。
事実今までに散骨葬の行われた人は多く、ライシャワー前駐日大使、周恩来、登小平、マリアカラス、ジャンギャバン、藤原義江、石原裕次郎、その他有名人だけでも多数上げることができる。
又アメリカにおける宇宙葬はニッポンにも代理店があり、申し込みを受け付けている。７ｇの骨灰がカプセルに詰められ宇宙に発射される。
しかしそれら散骨葬は後に何も残らないので可成り進歩的な考えの人でない限り躊躇する人の多いのも事実である。
墓地埋葬の思想が日本人に深く馴染んでいるからである。
そこで日本人に深く根ざしている仏像信仰と散骨を組み合わせて墓地問題を解決できないかとゆうのが課題である。
【課題を解決するための手段】
【０００４】  この解決方法としてかんがえられるのは仏像の胎内に散骨し、この仏像を家庭に安置する方法である。
【発明を実施するための最良の形態】
【０００６】  現在制作されている仏像は金銅仏、又はＦＲＰ製のものが大部分で外側は非常に丈夫な殻で構成されており、内部は空洞で有る。  今出来上がっている仏像の内部に散骨しようとする場合、この仏像の目立たない部分、例えば背中の中央部分に孔をあけこれにねじを立てる、又は取り付け金具取り付けこれに封止用の蓋に相当するものを用意することにより、骨灰の挿入口を持った胎内散骨仏像ができる。挿入口の構造は様々考えられるが図３、図４に代表例を示す。
これに火葬済みの骨灰を粉末状に砕いて挿入口を通して仏像の胎内に散骨する。この後封止ねじにより蓋をして安置することにより最終処理を終わる事になる。
散骨する量は僅かでよく、これは熱心に拝む事により魂が集まると一般に信じられているからである。
これから後はその人の宗教的な考えかたによるわけで、まず開眼法要を行う人もあり、又朝晩お線香を上げ拝む人も有るわけである。
【発明の効果】
【００１０】  安置された胎内散骨佛は遺族にとっては大変身近な存在となる。何時も故人は仏とともに家庭内の浄土にあり、その安心感、満足感は冷たい寂しい墓地にいれておくのとでは大変な差がある。又遠くのお墓まで行かなくても毎曰墓参ができる事はこれ以上の供養は無いわけで、又維持費も墓地と比べたら比較にならない。
現在墓地埋葬が唯一考とえている人の意識に変革が起これば墓地問題は半減すると考えられる。
尚平安時代に作られた木像には胎内に仏舎利や教典などが入っている場合があるが、これは当時材料の木材が割れるのを防ぐため内部を刳り抜かざるを得ず、当時の仏教思想として霊木の内部を空洞にすることは、仏の道に反するとゆう思想があったためであるといわれており、本願の目的思想とは異なる。
【図面の簡単な説明】
【図１】  胎内散骨佛の左側面図
【図２】  胎内散骨佛の背面図
【図３】  仏像の外殻に直接ねじ立てした挿入口の例
【図４】  仏像の外殻に取り付け金具を使用した挿入口の例
【符号の説明】
１    骨灰挿入口
２    仏像外殻
３    封止ねじＡ
４    取り付け用金具
５    封止ねじＢ
【図１】
2005040548.tif 000003
【図２】
2005040548.tif 000004
【図３】
2005040548.tif 000005
【図４】
2005040548.tif 000006
(57)【要約】【課題】Ａ５判以上のソフトカバーの角背本の多くは、真ん中付近のページをめくって手を離せば読書出来る状態で静止するが、最初や最後に近いページの紙面は、手で強く押さえても、放すとまた元に戻ってしまうケースが殆どである。本発明は、このような角背本の欠点を補うため、本の表紙、裏表紙のわずかな一部分の面積を両側から挟み、任意に開いたページの紙面が元に戻らないようにした見台を提供する。【解決手段】ソフトカバーの角背本の背から小口方向に奥行きの浅い一部分を、スライドする２枚のブレードで挟んで軽く固定し、更にどちらかのブレードを、「ネジ」又は「カム」で微動させて強く押さえるとセットが完了し、任意のページの書見が可能となる。読書後は、「ネジ」又は「カム」を一寸ゆるめると簡単に外れる。【選択図】  図２
2005040550.tif 000002
【特許請求の範囲】
【請求項１】
ソフトカバーの角背本の背と表紙、裏表紙が交わる接線から小口方向（本の裁断面・・・長辺）に奥行き２０ｍｍの巾を取って囲まれる面積の中の一部分を両側から挟み、本を任意に開いた時、挟んだ部分が常にほぼ垂直に保たれる見台
【請求項２】
本を２枚の押さえ板（万力の“くわえ面”に相当する部分・・・以後“ブレード”と呼称）で挟む方法として、片側のブレードをスライドさせて軽く挟んで固定し、続いて同じブレードか、もう一方のブレードを微動させて強く挟みつけ、本を任意に開いた時、挟んだ本の部分が外れないようにした見台。
【発明の詳細な説明】
【発明の詳細な説明】
【技術分野】
【０００１】  本発明は、ソフトカバーの角背本で、真ん中に近いページを開くと、手で押さえなくても書見できる状態で紙面が静止する本を対象とした見台に関する。
【背景技術】
【０００２】  従来の見台は、開いた紙面が元に戻るのを防ぐ方法として、紙面を機械的に押さえ、めくる度に押さえを外して又押さえるというような方法が取られている。
【発明が解決しようとする課題】
【０００３】  ソフトカバーの角背本では、最初や最後に近いページの紙面をめくって手を放すと、元に戻ってしまうケースが非常に多い。
押さえ具を使って開いた紙面の一部を押さえる従来の方法は、１ページ毎に手で押さえを外し、又めくって押さえると云うように、手間がかかって結構面倒で煩わしい。
【課題を解決するための手段】
【０００４】  本発明を分かり易くするため、例えば万力の「くわえ面」に角背本を背から小口方向に奥行き１０ｍｍ程浅く差し込んで締め付け、表紙に近いページをめくると、紙面は殆ど元に戻らず、開いた状態で静止する。本発明はこの原理を応用し、小型で安全にしかも素早くセット出来て、任意に開いた紙面が、常に手を煩わせずに書見出来る見台を提供して前記課題を解決する。
【実施例】
【０００５】  本発明の代表的見台として、図２・図３に示すように、見台基盤３上に設置した、ラチェットでスライドするブレード４と、微動するブレード５の間に角背本を差し込み、ブレード４をスライドさせて軽く挟んで固定する。続いて一方のブレード５をネジ９（図４ではカム１０）を廻し、微動させて強く押さえ付ける。見台は本を任意に開いたとき、押さえた部分が外れず、常にほぼ垂直を保つようにする。
【発明の効果】
【０００６】  本発明の見台に角背本をセットし、図２−１２に示すように最初や最後に近いページをめくると、紙面は開いたまま静止する。めくる度に手で押さえ続けるとか、その都度錘りなどで押さえる煩わしさがない。ここに例示するタイプの見台は、大抵の場合本の下に隠れて読者からは見えない。
【図面の簡単な説明】
【０００７】
【図１】角背本の斜視図
【図２】本発明の見台（ネジ式）で本を挟んで数枚開いた側面図
【図３】本発明の見台（ネジ式）の平面図
【図４】本発明の見台（カム式）の斜視図
【符号の説明】
【０００８】  １・・・角背本を挟む面積に相当する部分
２・・・角背本の背
３・・・見台基盤
４・・・ラチェット側スライドブレード
５・・・微動側スライドブレード
６・・・ブレードガイド
７・・・鋸刃状ラックラチェット
８・・・ラチェットの爪（クリック）
９・・・微動用ネジ
１０・・・微動用カム
１１・・・ラチェット爪押さえバネ
１２・・・角背本
１３・・・小口
【図１】
2005040550.tif 000003
【図２】
2005040550.tif 000004
【図３】
2005040550.tif 000005
【図４】
2005040550.tif 000006